(57)【要約】【課題】  簡易な構造で免震対象の構造体を基礎に対して支持するための構造体支持構造を提供しようとする。【解決手段】  従来の構造体支持構造に変わって、構造体に固定される上部案内部材と、上部案内部材の下方に位置し基礎に支持される中間案内部材と、を備え、水平面内で一対の仮想の軸であるＸ軸とＹ軸とが直交し、前記上部案内部材に形成された下向きの面である前記Ｘ軸摺動面と前記中間案内部材に形成された上向きの面である前記Ｘ軸摺動面とが摺動してＸ軸に沿って相対移動でき、前記Ｘ軸摺動面はＹ軸に沿って並列して位置する左右一対のＸ軸一方向摺動面を含み、左右一対の前記Ｘ軸一方向摺動面はＹ軸に沿って互いの反対方向に各々に傾斜する、ものとした。【選択図】    図１
2018012942.tif 000002
【特許請求の範囲】
【請求項１】
構造体を基礎に対して支持するための構造体支持構造であって、
構造体に固定される上部案内部材と、
上部案内部材の下方に位置し基礎に支持される中間案内部材と、
を備え、
水平面内で一対の仮想の軸であるＸ軸とＹ軸とが直交し、
前記上部案内部材に形成された下向きの面であるＸ軸摺動面と前記中間案内部材に形成された上向きの面であるＸ軸摺動面とが摺動してＸ軸に沿って相対移動でき、
前記Ｘ軸摺動面はＹ軸に沿って並列して位置する左右一対のＸ軸一方向摺動面とＹ軸に沿って並列して位置する左右一対のＸ軸逆方向摺動面とを含み、
左右一対の前記Ｘ軸一方向摺動面はＸ軸に沿って共に一方の方向に移るに従って上向きに各々に傾斜し且つＹ軸に沿って互いの反対方向に各々に傾斜し、
左右一対の前記Ｘ軸逆方向摺動面はＸ軸に沿って共に逆の方向に移るに従って上向きに各々に傾斜し且つＹ軸に沿って互いの反対方向に各々に傾斜する、
ことを特徴とする滑り免震装置。
【請求項２】
左右一対の前記Ｘ軸一方向摺動面はＸ軸に沿って共に一方の方向に移るに従って傾斜角θｘ１で上向きに各々に傾斜し且つＹ軸に沿って互いの反対方向に傾斜角ηｘ１で各々に傾斜し、
左右一対の前記Ｘ軸逆方向摺動面はＸ軸に沿って共に逆の方向に移るに従って傾斜角θｘ２で上向きに各々に傾斜し且つＹ軸に沿って互いの反対方向に傾斜角ηｘ２で各々に傾斜し、
傾斜角θｘ１、傾斜角θｘ２は、前記Ｘ軸摺動面の摩擦角より小さく、
ことを特徴とする請求項１に記載の構造体支持構造。
【請求項３】
前記上部案内部材が左右一対の下向きの前記Ｘ軸一方向摺動面を各々に形成する左右一対の上部Ｘ軸一方向摺動部材と左右一対の下向きの前記Ｘ軸面逆方向摺動面を各々に形成する左右一対の上部Ｘ軸逆方向摺動部材とを有し、
前記中間案内部材が左右一対の上向きの前記Ｘ軸一方向摺動面を各々に形成する左右一対の中間Ｘ軸一方向摺動部材と左右一対の上向きのＸ軸逆方向摺動面を各々に形成する左右一対の中間Ｘ軸逆方向摺動部材とを有し、
左右一対の前記上部Ｘ軸一方向摺動部材と左右一対の前記上部Ｘ軸逆方向摺動部材とがＹ軸に沿って離れる様に間に隙間を設けられ、
左右一対の前記中間Ｘ軸一方向摺動部材と左右一対の前記中間Ｘ軸逆方向摺動部材とがＹ軸に沿って離れる様に間に隙間を設けられる、
ことを特徴とする構造体支持構造。
【請求項４】
構造体を基礎に対して支持するための構造体支持構造であって、
構造体に固定される上部案内部材と、
上部案内部材の下方に位置し基礎に支持される下部案内部材と、
前記上部案内部材と前記下部案内部材との間に位置する中間案内部材と、
を備え、
水平面内で一対の仮想の軸であるＸ軸と仮想とが直交し、
前記上部案内部材に形成された下向きの面であるＸ軸摺動面と前記中間案内部材に形成された上向きの面であるＸ軸摺動面とが摺動してＸ軸に沿って相対移動でき、、
前記中間案内部材に形成された下向きの面であるＹ軸摺動面と前記下部案内部材に形成された上向きの面であるＹ軸摺動面とが摺動してＹ軸に沿って相対移動でき、
前記Ｘ軸摺動面はＹ軸に沿って並列して位置する左右一対のＸ軸一方向摺動面とＹ軸に沿って並列して位置する左右一対のＸ軸逆方向摺動面とを含み、
左右一対の前記Ｘ軸一方向摺動面はＸ軸に沿って共に一方の方向に移るに従って上向きに各々に傾斜し且つＹ軸に沿って互いの反対方向に各々に傾斜し、
左右一対の前記Ｘ軸逆方向摺動面はＸ軸に沿って共に逆の方向に移るに従って上向きに各々に傾斜し且つＹ軸に沿って互いの反対方向に各々に傾斜し、
前記Ｙ軸摺動面はＸ軸に沿って並列して位置する左右一対のＹ軸一方向摺動面とＸ軸に沿って並列して位置する左右一対のＹ軸逆方向摺動面とを含み、
左右一対の前記Ｙ軸一方向摺動面はＹ軸に沿って共に一方の方向に移るに従って上向きに各々に傾斜し且つＸ軸に沿って互いの反対方向に各々に傾斜し、
左右一対の前記Ｙ軸逆方向摺動面はＹ軸に沿って共に逆の方向に移るに従って上向きに各々に傾斜し且つＸ軸に沿って互いの反対方向に各々に傾斜する、
ことを特徴とする構造体支持構造。
【請求項５】
左右一対の前記Ｘ軸一方向摺動面はＸ軸に沿って共に一方の方向に移るに従って傾斜角θｘ１で上向きに各々に傾斜し且つＹ軸に沿って互いの反対方向に傾斜角ηｘ１で各々に傾斜し、
左右一対の前記Ｘ軸逆方向摺動面はＸ軸に沿って共に逆の方向に移るに従って傾斜角θｘ２で上向きに各々に傾斜し且つＹ軸に沿って互いの反対方向に傾斜角ηｘ２で各々に傾斜し、
左右一対の前記Ｙ軸一方向摺動面はＹ軸に沿って共に一方の方向に移るに従って傾斜角θｙ１で上向きに各々に傾斜し且つＸ軸に沿って互いの反対方向に傾斜角ηｙ１で各々に傾斜し、
左右一対の前記Ｙ軸逆方向摺動面はＹ軸に沿って共に逆の方向に移るに従って傾斜角θｙ２で上向きに各々に傾斜し且つＸ軸に沿って互いの反対方向に傾斜角ηｙ２で各々に傾斜し、
傾斜角θｘ１、傾斜角θｘ２は傾斜角ηｙ１、傾斜角ηｙ２より小さく、
傾斜角θｙ１、傾斜角θｙ２は傾斜角ηｘ１、傾斜角ηｘ２より小さい、
ことを特徴とする請求項４に記載の構造体支持構造。
【請求項６】
前記上部案内部材が左右一対の下向きの前記Ｘ軸一方向摺動面を各々に形成する左右一対の上部Ｘ軸一方向摺動部材と左右一対の下向きの前記Ｘ軸面逆方向摺動面を各々に形成する左右一対の上部Ｘ軸逆方向摺動部材とを有し、
前記中間案内部材が左右一対の上向きの前記Ｘ軸一方向摺動面を各々に形成する左右一対の中間Ｘ軸一方向摺動部材と左右一対の上向きのＸ軸逆方向摺動面を各々に形成する左右一対の中間Ｘ軸逆方向摺動部材とを有し、
左右一対の前記上部Ｘ軸一方向摺動部材と左右一対の前記上部Ｘ軸逆方向摺動部材とがＹ軸に沿って離れる様に間に隙間を設けられ、
左右一対の前記中間Ｘ軸一方向摺動部材と左右一対の前記中間Ｘ軸逆方向摺動部材とがＹ軸に沿って離れる様に間に隙間を設けられ、
前記中間案内部材が左右一対の下向きの前記Ｙ軸一方向摺動面を各々に形成する左右一対の中間Ｙ軸一方向摺動部材と左右一対の下向きの前記Ｙ軸面逆方向摺動面を各々に形成する左右一対の中間Ｙ軸逆方向摺動部材とを有し、
前記下部案内部材が左右一対の上向きの前記Ｙ軸一方向摺動面を形成する左右一対の下部Ｙ軸一方向摺動部材と左右一対の上向きのＹ軸逆方向摺動面を各々に形成する左右一対の下部Ｙ軸逆方向摺動部材とを有し、
左右一対の前記中間Ｙ軸一方向摺動部材と左右一対の前記中間Ｙ軸逆方向摺動部材とがＸ軸に沿って離れる様に間に隙間を設けられ、
左右一対の前記下部Ｙ軸一方向摺動部材と左右一対の前記下部Ｙ軸逆方向摺動部材とがＸ軸に沿って離れる様に間に隙間を設けられ、
ことを特徴とする構造体支持構造。
【請求項７】
構造体を基礎に対して支持するための滑り免震装置であって、
構造体に固定される上部案内部材と、
上部案内部材の下方に位置し基礎に支持される中間案内部材と、
を備え、
水平面内で一対の仮想の軸であるＸ軸とＹ軸とが直交し、
前記上部案内部材に形成された下向きの面である前記Ｘ軸摺動面と前記中間案内部材に形成された上向きの面である前記Ｘ軸摺動面とが摺動してＸ軸に沿って相対移動でき、
前記Ｘ軸摺動面はＹ軸に沿って並列して位置する左右一対のＸ軸一方向摺動面を含み、
左右一対の前記Ｘ軸一方向摺動面はＹ軸に沿って互いの反対方向に各々に傾斜する、
ことを特徴とする構造体支持構造。
【請求項８】
左右一対の前記Ｘ軸一方向摺動面はＹ軸に沿って互いの反対方向に傾斜角ηｘ１で各々に傾斜し、
傾斜角ηｘ１は、Ｘ軸摺動面の摩擦角より大きい、
ことを特徴とする請求項７に記載の構造体支持構造。
【発明の詳細な説明】
【技術分野】
【０００１】
本発明は構造体を基礎に対して支持するための構造体支持構造に係る。
【背景技術】
【０００２】
構造体を支持するのに構造体支持構造を用いる。
例えば、貴重品を収納する構造体を支持する構造体支持構造を用いる。
例えば，サーバコンピュータの構造体である架構を支持する構造体支持構造を用いる。
例えば、半導体製造装置の構造体である架構を支持する構造体支持構造を用いる。
例えば、美術館で、美術品を載せる構造体である台を支持する構造体支持構造を用いる。
【０００３】
構造体支持構造は免震機能を発揮できてもよい。
例えば、構造体支持構造は免震機構を内蔵する。
構造体支持構造は、その姿勢を非作動状態と作動状態との間で遷移する。
非作動状態では、免震機構は構造体を静止させる。
作動状態では、据付面の加速度振動に対応して構造体の変位、加速度を所定の範囲に抑えようとする。その結果、構造体が据付面に対して変位する。
【０００４】
簡易な構造で免震対象の構造体を基礎に対して支持するための構造体支持構造が求められている。
【発明の概要】
【発明が解決しようとする課題】
【０００５】
本発明は、上記の現象に鑑み、簡易な構造で免震対象の構造体を基礎に対して支持するための構造体支持構造を提供しようとする。
【課題を解決するための手段】
【０００６】
上記目的を達成するため、本発明に係る構造体を基礎に対して支持するための構造体支持構造を、構造体に固定される上部案内部材と、上部案内部材の下方に位置し基礎に支持される中間案内部材と、を備え、水平面内で一対の仮想の軸であるＸ軸とＹ軸とが直交し、前記上部案内部材に形成された下向きの面であるＸ軸摺動面と前記中間案内部材に形成された上向きの面であるＸ軸摺動面とが摺動してＸ軸に沿って相対移動でき、前記Ｘ軸摺動面はＹ軸に沿って並列して位置する左右一対のＸ軸一方向摺動面とＹ軸に沿って並列して位置する左右一対のＸ軸逆方向摺動面とを含み、左右一対の前記Ｘ軸一方向摺動面はＸ軸に沿って共に一方の方向に移るに従って上向きに各々に傾斜し且つＹ軸に沿って互いの反対方向に各々に傾斜し、左右一対の前記Ｘ軸逆方向摺動面はＸ軸に沿って共に逆の方向に移るに従って上向きに各々に傾斜し且つＹ軸に沿って互いの反対方向に各々に傾斜する、ものとした。
【０００７】
上記本発明の構成により、上部案内部材は、構造体に固定される。中間案内部材は、上部案内部材の下方に位置し基礎に支持される。水平面内で一対の仮想の軸であるＸ軸とＹ軸とが直交する。前記上部案内部材に形成された下向きの面であるＸ軸摺動面と前記中間案内部材に形成された上向きの面であるＸ軸摺動面とが摺動してＸ軸に沿って相対移動できる。前記Ｘ軸摺動面はＹ軸に沿って並列して位置する左右一対のＸ軸一方向摺動面とＹ軸に沿って並列して位置する左右一対のＸ軸逆方向摺動面とを含む。左右一対の前記Ｘ軸一方向摺動面はＸ軸に沿って共に一方の方向に移るに従って上向きに各々に傾斜し且つＹ軸に沿って互いの反対方向に各々に傾斜する。左右一対の前記Ｘ軸逆方向摺動面はＸ軸に沿って共に逆の方向に移るに従って上向きに各々に傾斜し且つＹ軸に沿って互いの反対方向に各々に傾斜する。
その結果、構造体が、Ｙ軸に沿った移動を抑制されつつＸ軸に沿って摺動する上部案内部材と中間案内部材を介して支持されて、Ｘ軸に沿って安定して移動する。
【０００８】
以下に、本発明の実施形態に係る構造体支持構造を説明する。本発明は、以下に記載した実施形態のいずれか、またはそれらの中の二つ以上が組み合わされた態様を含む。
【０００９】
本発明の実施形態に係る構造体支持構造は、左右一対の前記Ｘ軸一方向摺動面はＸ軸に沿って共に一方の方向に移るに従って傾斜角θｘ１で上向きに各々に傾斜し且つＹ軸に沿って互いの反対方向に傾斜角ηｘ１で各々に傾斜し、左右一対の前記Ｘ軸逆方向摺動面はＸ軸に沿って共に逆の方向に移るに従って傾斜角θｘ２で上向きに各々に傾斜し且つＹ軸に沿って互いの反対方向に傾斜角ηｘ２で各々に傾斜し、傾斜角θｘ１、傾斜角θｘ２は、Ｘ軸摺動面の摩擦角より小さい。
上記の実施形態の構成により、本発明の実施形態に係る構造体支持構造は、左右一対の前記Ｘ軸一方向摺動面はＸ軸に沿って共に一方の方向に移るに従って傾斜角θｘ１で上向きに各々に傾斜し且つＹ軸に沿って互いの反対方向に傾斜角ηｘ１で各々に傾斜する。
左右一対の前記Ｘ軸逆方向摺動面はＸ軸に沿って共に逆の方向に移るに従って傾斜角θｘ２で上向きに各々に傾斜し且つＹ軸に沿って互いの反対方向に傾斜角ηｘ２で各々に傾斜する。傾斜角θｙ１、傾斜角θｙ２は、前記Ｙ軸摺動面の摩擦角より小さい。
その結果、構造体が、Ｙ軸に沿った移動を抑制されつつ上部案内部材と中間案内部材とが摺動してＸ軸に沿って移動する。
【００１０】
本発明の実施形態に係る構造体支持構造は、前記上部案内部材が左右一対の下向きの前記Ｘ軸一方向摺動面を各々に形成する左右一対の上部Ｘ軸一方向摺動部材と左右一対の下向きの前記Ｘ軸逆方向摺動面を各々に形成する左右一対の上部Ｘ軸逆方向摺動部材とを有し、前記中間案内部材が左右一対の上向きの前記Ｘ軸一方向摺動面を各々に形成する左右一対の中間Ｘ軸一方向摺動部材と左右一対の上向きのＸ軸逆方向摺動面を各々に形成する左右一対の中間Ｘ軸逆方向摺動部材とを有し、左右一対の前記上部Ｘ軸一方向摺動部材と左右一対の前記上部Ｘ軸逆方向摺動部材とがＹ軸に沿って離れる様に間に隙間を設けられ、左右一対の前記中間Ｘ軸一方向摺動部材と左右一対の前記中間Ｘ軸逆方向摺動部材とがＹ軸に沿って離れる様に間に隙間を設けられる、
上記の実施形態の構成により、前記上部案内部材が左右一対の下向きの前記Ｘ軸一方向摺動面を各々に形成する左右一対の上部Ｘ軸一方向摺動部材と左右一対の下向きの前記Ｘ軸逆方向摺動面を各々に形成する左右一対の上部Ｘ軸逆方向摺動部材とを有する。前記中間案内部材が左右一対の上向きの前記Ｘ軸一方向摺動面を各々に形成する左右一対の中間Ｘ軸一方向摺動部材と左右一対の上向きのＸ軸逆方向摺動面を各々に形成する左右一対の中間Ｘ軸逆方向摺動部材とを有する。左右一対の前記上部Ｘ軸一方向摺動部材と左右一対の前記上部Ｘ軸逆方向摺動部材とがＹ軸に沿って離れる様に間に隙間を設けられる。左右一対の前記中間Ｘ軸一方向摺動部材と左右一対の前記中間Ｘ軸逆方向摺動部材とがＹ軸に沿って離れる様に間に隙間を設けられる。
その結果、左右一対の上部Ｘ軸一方向摺動部材と左右一対の中間Ｘ軸逆方向摺動部材との物理的緩衝を抑制し、左右一対の上部Ｘ軸逆方向摺動部材と左右一対の中間Ｘ軸一方向摺動部材との物理的緩衝を抑制できる。
【００１１】
上記目的を達成するため、本発明に係る構造体を基礎に対して支持するための構造体支持構造を、構造体に固定される上部案内部材と、上部案内部材の下方に位置し基礎に支持される下部案内部材と、前記上部案内部材と前記下部案内部材との間に位置する中間案内部材と、を備え、水平面内で一対の仮想の軸であるＸ軸と仮想とが直交し、前記上部案内部材に形成された下向きの面であるＸ軸摺動面と前記中間案内部材に形成された上向きの面であるＸ軸摺動面とが摺動してＸ軸に沿って相対移動でき、、前記中間案内部材に形成された下向きの面であるＹ軸摺動面と前記下部案内部材に形成された上向きの面であるＹ軸摺動面とが摺動してＹ軸に沿って相対移動でき、、前記Ｘ軸摺動面はＹ軸に沿って並列して位置する左右一対のＸ軸一方向摺動面とＹ軸に沿って並列して位置する左右一対のＸ軸逆方向摺動面とを含み、左右一対の前記Ｘ軸一方向摺動面はＸ軸に沿って共に一方の方向に移るに従って上向きに各々に傾斜し且つＹ軸に沿って互いの反対方向に各々に傾斜し、左右一対の前記Ｘ軸逆方向摺動面はＸ軸に沿って共に逆の方向に移るに従って上向きに各々に傾斜し且つＹ軸に沿って互いの反対方向に各々に傾斜し、前記Ｙ軸摺動面はＸ軸に沿って並列して位置する左右一対のＹ軸一方向摺動面とＸ軸に沿って並列して位置する左右一対のＹ軸逆方向摺動面とを含み、左右一対の前記Ｙ軸一方向摺動面はＹ軸に沿って共に一方の方向に移るに従って上向きに各々に傾斜し且つＸ軸に沿って互いの反対方向に各々に傾斜し、左右一対の前記Ｙ軸逆方向摺動面はＹ軸に沿って共に逆の方向に移るに従って上向きに各々に傾斜し且つＸ軸に沿って互いの反対方向に各々に傾斜する、ものとした。
【００１２】
上記本発明の構成により、上部案内部材は、構造体に固定される。下部案内部材は、上部案内部材の下方に位置し基礎に支持される。中間案内部材は、前記上部案内部材と前記下部案内部材との間に位置する。水平面内で一対の仮想の軸であるＸ軸と仮想とが直交する。前記上部案内部材に形成された下向きの面であるＸ軸摺動面と前記中間案内部材に形成された上向きの面であるＸ軸摺動面とが摺動してＸ軸に沿って相対移動できる。前記中間案内部材に形成された下向きの面であるＹ軸摺動面と前記下部案内部材に形成された上向きの面である前記Ｙ軸摺動面とが摺動してＹ軸に沿って相対移動できる。前記Ｘ軸摺動面はＹ軸に沿って並列して位置する左右一対のＸ軸一方向摺動面とＹ軸に沿って並列して位置する左右一対のＸ軸逆方向摺動面とを含む。左右一対の前記Ｘ軸一方向摺動面はＸ軸に沿って共に一方の方向に移るに従って上向きに各々に傾斜し且つＹ軸に沿って互いの反対方向に各々に傾斜する。左右一対の前記Ｘ軸逆方向摺動面はＸ軸に沿って共に逆の方向に移るに従って上向きに各々に傾斜し且つＹ軸に沿って互いの反対方向に各々に傾斜する。前記Ｙ軸摺動面はＸ軸に沿って並列して位置する左右一対のＹ軸一方向摺動面とＸ軸に沿って並列して位置する左右一対のＹ軸逆方向摺動面とを含む。左右一対の前記Ｙ軸一方向摺動面はＹ軸に沿って共に一方の方向に移るに従って上向きに各々に傾斜し且つＸ軸に沿って互いの反対方向に各々に傾斜する。左右一対の前記Ｙ軸逆方向摺動面はＹ軸に沿って共に逆の方向に移るに従って上向きに各々に傾斜し且つＸ軸に沿って互いの反対方向に各々に傾斜する。
その結果、構造体が、Ｙ軸に沿った移動を抑制されつつＸ軸に沿って摺動する前記上部案内部材と前記中間案内部材を介して支持されて、Ｘ軸に沿った移動を抑制されつつＹ軸に沿って摺動する下部案内部材と中間案内部材を介して支持されて、Ｘ軸とＹ軸とに沿って安定して移動する。
【００１３】
以下に、本発明の実施形態に係る構造体支持構造を説明する。本発明は、以下に記載した実施形態のいずれか、またはそれらの中の二つ以上が組み合わされた態様を含む。
【００１４】
本発明の実施形態に係る構造体支持構造は、左右一対の前記Ｘ軸一方向摺動面はＸ軸に沿って共に一方の方向に移るに従って傾斜角θｘ１で上向きに各々に傾斜し且つＹ軸に沿って互いの反対方向に傾斜角ηｘ１で各々に傾斜し、左右一対の前記Ｘ軸逆方向摺動面はＸ軸に沿って共に逆の方向に移るに従って傾斜角θｘ２で上向きに各々に傾斜し且つＹ軸に沿って互いの反対方向に傾斜角ηｘ２で各々に傾斜し、左右一対の前記Ｙ軸一方向摺動面はＹ軸に沿って共に一方の方向に移るに従って傾斜角θｙ１で上向きに各々に傾斜し且つＸ軸に沿って互いの反対方向に傾斜角ηｙ１で各々に傾斜し、左右一対の前記Ｙ軸逆方向摺動面はＹ軸に沿って共に逆の方向に移るに従って傾斜角θｙ２で上向きに各々に傾斜し且つＸ軸に沿って互いの反対方向に傾斜角ηｙ２で各々に傾斜し、傾斜角θｘ１、傾斜角θｘ２は傾斜角ηｙ１、傾斜角ηｙ２より小さく、傾斜角θｙ１、傾斜角θｙ２は傾斜角ηｘ１、傾斜角ηｘ２より小さい、ものとした。
上記の実施形態の構成により、左右一対の前記Ｘ軸一方向摺動面はＸ軸に沿って共に一方の方向に移るに従って傾斜角θｘ１で上向きに各々に傾斜し且つＹ軸に沿って互いの反対方向に傾斜角ηｘ１で各々に傾斜する。左右一対の前記Ｘ軸逆方向摺動面はＸ軸に沿って共に逆の方向に移るに従って傾斜角θｘ２で上向きに各々に傾斜し且つＹ軸に沿って互いの反対方向に傾斜角ηｘ２で各々に傾斜する。左右一対の前記Ｙ軸一方向摺動面はＹ軸に沿って共に一方の方向に移るに従って傾斜角θｙ１で上向きに各々に傾斜し且つＸ軸に沿って互いの反対方向に傾斜角ηｙ１で各々に傾斜する。左右一対の前記Ｙ軸逆方向摺動面はＹ軸に沿って共に逆の方向に移るに従って傾斜角θｙ２で上向きに各々に傾斜し且つＸ軸に沿って互いの反対方向に傾斜角ηｙ２で各々に傾斜する。傾斜角θｘ１、傾斜角θｘ２は、傾斜角ηｙ１、傾斜角ηｙ２より小さい。傾斜角θｙ１、傾斜角θｙ２は、傾斜角ηｘ１、傾斜角ηｘ２より小さい。
その結果、構造体が、Ｙ軸に沿った移動を抑制されつつ上部案内部材と中間案内部材とが摺動してＸ軸に沿って移動し、Ｘ軸に沿った移動を抑制されつつ中間案内部材と下部案内部材とが摺動してＹ軸に沿って移動する。
【００１５】
本発明の実施形態に係る構造体支持構造は、前記上部案内部材が左右一対の下向きの前記Ｘ軸一方向摺動面を各々に形成する左右一対の上部Ｘ軸一方向摺動部材と左右一対の下向きの前記Ｘ軸逆方向摺動面を各々に形成する左右一対の上部Ｘ軸逆方向摺動部材とを有し、前記中間案内部材が左右一対の上向きの前記Ｘ軸一方向摺動面を各々に形成する左右一対の中間Ｘ軸一方向摺動部材と左右一対の上向きのＸ軸逆方向摺動面を各々に形成する左右一対の中間Ｘ軸逆方向摺動部材とを有し、左右一対の前記上部Ｘ軸一方向摺動部材と左右一対の前記上部Ｘ軸逆方向摺動部材とがＹ軸に沿って離れる様に間に隙間を設けられ、左右一対の前記中間Ｘ軸一方向摺動部材と左右一対の前記中間Ｘ軸逆方向摺動部材とがＹ軸に沿って離れる様に間に隙間を設けられ、前記中間案内部材が左右一対の下向きの前記Ｙ軸一方向摺動面を各々に形成する左右一対の中間Ｙ軸一方向摺動部材と左右一対の下向きの前記Ｙ軸逆方向摺動面を各々に形成する左右一対の中間Ｙ軸逆方向摺動部材とを有し、前記下部案内部材が左右一対の上向きの前記Ｙ軸一方向摺動面を各々に形成する左右一対の下部Ｙ軸一方向摺動部材と左右一対の上向きのＹ軸逆方向摺動面を各々に形成する左右一対の下部Ｙ軸逆方向摺動部材とを有し、左右一対の前記中間Ｙ軸一方向摺動部材と左右一対の前記中間Ｙ軸逆方向摺動部材とがＹ軸に沿って離れる様に間に隙間を設けられ、左右一対の前記下部Ｙ軸一方向摺動部材と左右一対の前記下部Ｙ軸逆方向摺動部材とがＹ軸に沿って離れる様に間に隙間を設けられ。
上記の実施形態の構成により、前記上部案内部材が左右一対の下向きの前記Ｘ軸一方向摺動面を各々に形成する左右一対の上部Ｘ軸一方向摺動部材と左右一対の下向きの前記Ｘ軸逆方向摺動面を各々に形成する左右一対の上部Ｘ軸逆方向摺動部材とを有する。前記中間案内部材が左右一対の上向きの前記Ｘ軸一方向摺動面を各々に形成する左右一対の中間Ｘ軸一方向摺動部材と左右一対の上向きのＸ軸逆方向摺動面を各々に形成する左右一対の中間Ｘ軸逆方向摺動部材とを有する。左右一対の前記上部Ｘ軸一方向摺動部材と左右一対の前記上部Ｘ軸逆方向摺動部材とがＹ軸に沿って離れる様に間に隙間を設けられる。左右一対の前記中間Ｘ軸一方向摺動部材と左右一対の前記中間Ｘ軸逆方向摺動部材とがＹ軸に沿って離れる様に間に隙間を設けられる。前記中間案内部材が左右一対の下向きの前記Ｙ軸一方向摺動面を各々に形成する左右一対の中間Ｙ軸一方向摺動部材と左右一対の下向きの前記Ｙ軸逆方向摺動面を各々に形成する左右一対の中間Ｙ軸逆方向摺動部材とを有する。前記下部案内部材が左右一対の上向きの前記Ｙ軸一方向摺動面を各々に形成する左右一対の下部Ｙ軸一方向摺動部材と左右一対の上向きのＹ軸逆方向摺動面を各々に形成する左右一対の下部Ｙ軸逆方向摺動部材とを有する。左右一対の前記中間Ｙ軸一方向摺動部材と左右一対の前記中間Ｙ軸逆方向摺動部材とがＹ軸に沿って離れる様に間に隙間を設けられる。左右一対の前記下部Ｙ軸一方向摺動部材と左右一対の前記下部Ｙ軸逆方向摺動部材とがＹ軸に沿って離れる様に間に隙間を設けられる。
その結果、左右一対の上部Ｘ軸一方向摺動部材と左右一対の中間Ｘ軸逆方向摺動部材との物理的緩衝を抑制し、左右一対の上部Ｘ軸逆方向摺動部材と左右一対の中間Ｘ軸一方向摺動部材との物理的緩衝を抑制でき、さらに、左右一対の中間Ｙ軸一方向摺動部材と左右一対の下部Ｙ軸逆方向摺動部材との物理的緩衝を抑制し、左右一対の中間Ｙ軸逆方向摺動部材と左右一対の下部Ｙ軸一方向摺動部材との物理的緩衝を抑制できる。
【００１６】
上記目的を達成するため、本発明に係る構造体を基礎に対して支持するための構造体支持構造を、構造体に固定される上部案内部材と、上部案内部材の下方に位置し基礎に支持される中間案内部材と、を備え、水平面内で一対の仮想の軸であるＸ軸とＹ軸とが直交し、前記上部案内部材に形成された下向きの面である前記Ｘ軸摺動面と前記中間案内部材に形成された上向きの面である前記Ｘ軸摺動面とが摺動してＸ軸に沿って相対移動でき、前記Ｘ軸摺動面はＹ軸に沿って並列して位置する左右一対のＸ軸一方向摺動面を含み、左右一対の前記Ｘ軸一方向摺動面はＹ軸に沿って互いの反対方向に各々に傾斜する、ものとした。
【００１７】
上記本発明の構成により、上部案内部材は、構造体に固定される。中間案内部材は、上部案内部材の下方に位置し基礎に支持される。水平面内で一対の仮想の軸であるＸ軸とＹ軸とが直交する。前記上部案内部材に形成された下向きの面である前記Ｘ軸摺動面と前記中間案内部材に形成された上向きの面である前記Ｘ軸摺動面とが摺動してＸ軸に沿って相対移動できる。前記Ｘ軸摺動面はＹ軸に沿って並列して位置する左右一対のＸ軸一方向摺動面を含む。左右一対の前記Ｘ軸一方向摺動面はＹ軸に沿って互いの反対方向に各々に傾斜する。
その結果、構造体が、Ｙ軸に沿った移動を抑制されつつＸ軸に沿って摺動する上部案内部材と中間案内部材を介して支持されて、Ｘ軸に沿って安定して移動する。
【００１８】
以下に、本発明の実施形態に係る構造体支持構造を説明する。本発明は、以下に記載した実施形態のいずれか、またはそれらの中の二つ以上が組み合わされた態様を含む。
【００１９】
本発明の実施形態に係る構造体支持構造は、一対の前記Ｘ軸一方向摺動面はＹ軸に沿って互いの反対方向に傾斜角ηｘ１で各々に傾斜し、傾斜角ηｘ１は、Ｘ軸摺動面の摩擦角より大きい、ものとした。
上記の実施形態の構成により、一対の前記Ｘ軸一方向摺動面はＹ軸に沿って互いの反対方向に傾斜角ηｘ１で各々に傾斜する。傾斜角ηｘ１は、前記Ｘ軸摺動面の摩擦角より大きい。
その結果、構造体が、Ｙ軸に沿った移動を抑制されつつ上部案内部材と中間案内部材とが摺動してＸ軸に沿って移動する
【発明の効果】
【００２０】
以上説明したように、本発明に係る構造体支持構造は、その構成により、以下の効果を有する
Ｘ軸に沿って共に一方の方向に移るに従って上向きに各々に傾斜し且つＹ軸に沿って互いの反対方向に各々に傾斜する左右一対の前記Ｘ軸一方向摺動面とＸ軸に沿って共に逆の方向に移るに従って上向きに各々に傾斜し且つＹ軸に沿って互いの反対方向に各々に傾斜する左右一対の前記Ｘ軸逆方向摺動面との一方を、Ｘ軸に沿って摺動できる上下一対のＸ軸摺動面を前記上部案内部材と中間案内部材とに各々に形成する様にしたので、構造体が、Ｙ軸に沿った移動を抑制されつつＸ軸に沿って摺動する上部案内部材と中間案内部材を介して支持されて、Ｘ軸に沿って安定して移動する。
また、Ｘ軸摺動面のＸ軸に沿った傾斜角θｘ１、傾斜角θｘ２は、Ｘ軸摺動面の摩擦角より小さく、Ｘ軸摺動面のＹ軸に沿った傾斜角ηｘ１、傾斜角ηｘ２は、Ｘ軸摺動面の摩擦角より大きい様にしたので、構造体が、Ｙ軸に沿った移動を抑制されつつ上部案内部材と中間案内部材とが摺動してＸ軸に沿って移動する。
また、左右一対の下向きの前記Ｘ軸一方向摺動面を形成する左右一対の上部Ｘ軸一方向摺動部材と左右一対の下向きの前記Ｘ軸逆方向摺動面を各々に形成する左右一対の上部Ｘ軸逆方向摺動部材とがＹ軸に沿って離れる様に間に隙間を設けられ、
左右一対の上向きの前記Ｘ軸一方向摺動面を形成する左右一対の中間Ｘ軸一方向摺動部材と左右一対の上向きのＸ軸逆方向摺動面を各々に形成する左右一対の中間Ｘ軸逆方向摺動部材とがＹ軸に沿って離れる様に間に隙間を設けられる様にしたので、左右一対の上部Ｘ軸一方向摺動部材と左右一対の中間Ｘ軸逆方向摺動部材との物理的緩衝を抑制し、左右一対の上部Ｘ軸逆方向摺動部材と左右一対の中間Ｘ軸一方向摺動部材との物理的緩衝を抑制できる。
Ｘ軸に沿って共に一方の方向に移るに従って上向きに各々に傾斜し且つＹ軸に沿って互いの反対方向に各々に傾斜する左右一対の前記Ｘ軸一方向摺動面とＸ軸に沿って共に逆の方向に移るに従って上向きに各々に傾斜し且つＹ軸に沿って互いの反対方向に各々に傾斜する左右一対の前記Ｘ軸逆方向摺動面との一方を、Ｘ軸に沿って摺動できる上下一対のＸ軸摺動面を前記上部案内部材と中間案内部材とに各々に形成し、さらに、Ｙ軸に沿って共に一方の方向に移るに従って上向きに各々に傾斜し且つＸ軸に沿って互いの反対方向に各々に傾斜する左右一対の前記Ｙ軸一方向摺動面と、Ｙ軸に沿って共に逆の方向に移るに従って上向きに各々に傾斜し且つＸ軸に沿って互いの反対方向に各々に傾斜する左右一対の前記Ｙ軸逆方向摺動面との一方を、Ｙ軸に沿って摺動できる上下一対のＹ軸摺動面を前記下部案内部材と中間案内部材とに各々に形成する様にしたので、構造体が、Ｙ軸に沿った移動を抑制されつつＸ軸に沿って摺動する前記上部案内部材と前記中間案内部材を介して支持されて、Ｘ軸に沿った移動を抑制されつつＹ軸に沿って摺動する下部案内部材と中間案内部材を介して支持されて、Ｘ軸とＹ軸とに沿って安定して移動する。
また、傾斜角θｘ１、傾斜角θｘ２は傾斜角ηｙ１、傾斜角ηｙ２より小さく、傾斜角θｙ１、傾斜角θｙ２は傾斜角ηｘ１、傾斜角ηｘ２より小さい様にしたので、構造体が、Ｙ軸に沿った移動を抑制されつつ上部案内部材と中間案内部材とが摺動してＸ軸に沿って移動し、Ｘ軸に沿った移動を抑制されつつ中間案内部材と下部案内部材とが摺動してＹ軸に沿って移動する。
また、左右一対の下向きの前記Ｘ軸一方向摺動面を形成する左右一対の上部Ｘ軸一方向摺動部材と左右一対の下向きの前記Ｘ軸逆方向摺動面を各々に形成する左右一対の上部Ｘ軸逆方向摺動部材とがＹ軸に沿って離れる様に間に隙間を設けられ、左右一対の上向きの前記Ｘ軸一方向摺動面を形成する左右一対の中間Ｘ軸一方向摺動部材と左右一対の上向きのＸ軸逆方向摺動面を各々に形成する左右一対の中間Ｘ軸逆方向摺動部材とがＹ軸に沿って離れる様に間に隙間を設けられる様にし、さらに左右一対の下向きの前記中間Ｙ軸一方向摺動面を形成する左右一対の中間Ｙ軸一方向摺動部材と左右一対の下向きの中間Ｙ軸逆方向摺動面を各々に形成する左右一対の中間Ｙ軸逆方向摺動部材とがＸ軸に沿って離れる様に間に隙間を設けられ、左右一対の上向きの前記Ｙ軸一方向摺動面を形成する左右一対の下部Ｙ軸一方向摺動部材と左右一対の上向きのＹ軸逆方向摺動面を各々に形成する左右一対の下部Ｙ軸逆方向摺動部材とがＸ軸に沿って離れる様に間に隙間を設けられる様にしたので、左右一対の上部Ｘ軸一方向摺動部材と左右一対の中間Ｘ軸逆方向摺動部材との物理的緩衝を抑制し、左右一対の上部Ｘ軸逆方向摺動部材と左右一対の中間Ｘ軸一方向摺動部材との物理的緩衝を抑制でき、さらに、左右一対の中間Ｙ軸一方向摺動部材と左右一対の下部Ｙ軸逆方向摺動部材との物理的緩衝を抑制し、左右一対の中間Ｙ軸逆方向摺動部材と左右一対の下部Ｙ軸一方向摺動部材との物理的緩衝を抑制できる。
Ｙ軸に沿って互いの反対方向に各々に傾斜する左右一対の前記Ｘ軸一方向摺動面を、Ｘ軸に沿って摺動できる上下一対のＸ軸摺動面を前記上部案内部材と中間案内部材とに各々に形成する様にしたので、構造体が、Ｙ軸に沿った移動を抑制されつつＸ軸に沿って摺動する上部案内部材と中間案内部材を介して支持されて、Ｘ軸に沿って安定して移動する。
また、傾斜角ηｘ１は、摺動面の上部摩擦角より大きい様にしたので、構造体が、Ｙ軸に沿った移動を抑制されつつ上部案内部材と中間案内部材とが摺動してＸ軸に沿って移動する。
従って、簡易な構造で免震対象の構造体を基礎に対して支持するための構造体支持構造を提供できる。
【図面の簡単な説明】
【００２１】
【図１】本発明の実施形態に係る構造体支持構造の斜視図である。
【図２】本発明の実施形態に係る構造体支持構造の作用説明図その１である。
【図３】本発明の実施形態に係る構造体支持構造の部分斜視図その１である。
【図４】本発明の実施形態に係る構造体支持構造の部分斜視図その２である。
【図５】本発明の実施形態に係る構造体支持構造の部分斜視図その３である。
【図６】本発明の実施形態に係る構造体支持構造の部分斜視図その４である。
【図７】本発明の実施形態に係る構造体支持構造の側面図である。
【図８】本発明の実施形態に係る構造体支持構造の部分平面図その１である。
【図９】本発明の実施形態に係る構造体支持構造の部分平面図その２である。
【図１０】本発明の実施形態に係る摺動部材の部分斜視図その１である。
【図１１】本発明の実施形態に係る摺動部材の部分正面図その１である。
【図１２】本発明の実施形態に係る摺動部材の部分側面図その１である。
【図１３】本発明の実施形態に係る構造体支持構造の作用説明図その２である。
【図１４】本発明の実施形態に係る構造体支持構造の作用説明図その３である。
【図１５】本発明の他の実施形態に係る構造体支持構造の斜視図である。
【図１６】本発明の他の実施形態に係る構造体支持構造の作用説明図である。
【図１７】本発明の実施形態に係る構造体の斜視図である。
【発明を実施するための形態】
【００２２】
以下、本発明を実施するための形態を、説明する。
最初に、本発明の実施形態にかかる構造体支持構造を、図を基に、説明する。
図１は、本発明の実施形態に係る構造体支持構造の斜視図である。図２は、本発明の実施形態に係る構造体支持構造の作用説明図その１である。図３は、本発明の実施形態に係る構造体支持構造の部分斜視図その１である。図４は、本発明の実施形態に係る構造体支持構造の部分斜視図その２である。図５は、本発明の実施形態に係る構造体支持構造の部分斜視図その３である。図６は、本発明の実施形態に係る構造体支持構造の部分斜視図その４である。図７は、本発明の実施形態に係る構造体支持構造の側面図である。図８は、本発明の実施形態に係る構造体支持構造の部分平面図その１である。図９は、本発明の実施形態に係る構造体支持構造の部分平面図その２である。図１０は、本発明の実施形態に係る摺動部材の部分斜視図その１である。図１１は、本発明の実施形態に係る摺動部材の部分正面図その１である。図１２は、本発明の実施形態に係る摺動部材の部分側面図その１である。図１３は、本発明の実施形態に係る構造体支持構造の作用説明図その２である。図１４は、本発明の実施形態に係る構造体支持構造の作用説明図その３である。図１６は、本発明の実施形態に係る構造体の斜視図である。
【００２３】
構造体支持構造５０は、構造体３０を基礎４０に対して支持するための構造である。
例えば、基礎４０に据え付けられる１つの構造体支持構造５０が、構造体３０を支持する。
例えば、基礎４０に据え付けられる複数の構造体支持構造５０が、構造体３０を支持する。
図１４は、複数の構造体支持構造５０が構造体３０を基礎４０に対して支持する様子を示す。
図中の一点破線の矢印は、摺動面の傾斜が上向きになる方向を示す。
【００２４】
構造体支持構造５０は、上部案内部材１００と中間案内部材３００とで構成される。
構造体支持構造５０は、上部案内部材１００と下部案内部材２００と中間案内部材３００とで構成されてもよい。
水平面内で一対の仮想の軸であるＸ軸とＹ軸とが直交する。
以下で、説明の便宜上、Ｘ軸摺動面Ｓｘを説明するとき用語「左右一対」は視線をＸ軸に平行にして水平に見た状態の左右をいい、Ｙ軸摺動面Ｓｙを説明するとき用語「左右一対」は視線をＹ軸に平行にして水平に見た状態に左右をいう。
【００２５】
上部案内部材１００は、下向きの面であるＸ軸摺動面Ｓｘを形成される。
中間案内部材３００は、上向きの面であるＸ軸摺動面Ｓｘを形成される。
上部案内部材１００に形成されたＸ軸摺動面Ｓｘと中間案内部材３００に形成されたＸ軸摺動面Ｓｘとが摺動してＸ軸に沿って相対移動できる。
例えば、上部案内部材１００に形成されたＸ軸摺動面Ｓｘと中間案内部材３００に形成されたＸ軸摺動面ＳｘとがＸ軸に沿って互いに摺動できる。
Ｘ軸摺動面ＳｘはＹ軸に沿って並列して位置する左右一対のＸ軸一方向摺動面Ｓｘ１とＹ軸に沿って並列して位置する左右一対のＸ軸逆方向摺動面Ｓｘ２とを含む。
例えば、上部案内部材１００は、左右一対の下向きのＸ軸一方向摺動面Ｓｘ１と左右一対の下向きのＸ軸逆方向摺動面Ｓｘ２とを形成される。
左右一対の下向きのＸ軸一方向摺動面Ｓｘ１は、Ｙ軸に沿って並列して、上部案内部材１００の下部に位置する。
左右一対の下向きのＸ軸逆方向摺動面Ｓｘ２は、Ｙ軸に沿って並列して、上部案内部材１００の下部に位置する。
例えば、中間案内部材３００は左右一対の上向きのＸ軸一方向摺動面Ｓｘ１と左右一対の上向きのＸ軸逆方向摺動面Ｓｘ２とを形成される。
左右一対の上向きのＸ軸一方向摺動面Ｓｘ１は、Ｙ軸に沿って並列して、中間案内部材３００の上部に位置する。
左右一対の上向きのＸ軸逆方向摺動面Ｓｘ２は、Ｙ軸に沿って並列して、中間案内部材３００の上部に位置する。
【００２６】
左右一対のＸ軸一方向摺動面Ｓｘ１は、Ｘ軸に沿って共に一方の方向に移るに従って上向きに各々に傾斜し且つＹ軸に沿って互いの反対方向に各々に傾斜する。
左右一対のＸ軸一方向摺動面Ｓｘ１は、Ｘ軸に沿って延びる長尺の面であってもよい。
例えば、左のＸ軸一方向摺動面Ｓｘ１は、Ｘ軸に沿って一方の方向に移るに従って上向きに傾斜し、且つＹ軸に沿って一方の方向に傾斜する。
例えば、右のＸ軸一方向摺動面Ｓｘ１は、Ｘ軸に沿って一方の方向に移るに従って上向きに傾斜し、且つＹ軸に沿って他方の方向に傾斜する。
【００２７】
左右一対のＸ軸一方向摺動面Ｓｘ１は、Ｘ軸に沿って共に一方の方向に移るに従って傾斜角θｘ１で上向きに各々に傾斜し且つＹ軸に沿って互いの反対方向に傾斜角ηｘ１で各々に傾斜してもよい。
例えば、左のＸ軸一方向摺動面Ｓｘ１は、Ｘ軸に沿って一方の方向に移るに従って傾斜角θｘ１で上向きに傾斜し、且つＹ軸に沿って一方の方向に傾斜角ηｘ１で傾斜する。
例えば、右のＸ軸一方向摺動面Ｓｘ１は、Ｘ軸に沿って一方の方向に移るに従って傾斜角θｘ１で上向きに傾斜し、且つＹ軸に沿って他方の方向に傾斜角ηｘ１で傾斜する。
【００２８】
左右一対のＸ軸逆方向摺動面Ｓｘ２は、Ｘ軸に沿って共に逆の方向に移るに従って上向きに各々に傾斜し、且つＹ軸に沿って互いの反対方向に各々に傾斜する。
左右一対のＸ軸逆方向摺動面Ｓｘ２は、Ｘ軸に沿って延びる長尺の面である。
例えば、左のＸ軸逆方向摺動面Ｓｘ２は、Ｘ軸に沿って逆の方向に移るに従って上向きに傾斜し、且つＹ軸に沿って一方の方向に傾斜する。
例えば、右のＸ軸逆方向摺動面Ｓｘ２は、Ｘ軸に沿って逆の方向に移るに従って上向きに各々に傾斜し、且つＹ軸に沿って他方の反対方向に傾斜する。
図１０は、左右一対の中間Ｘ軸逆方向摺動部材３１２ａを例示して、左右一対のＸ軸逆方向摺動面Ｓｘ２は、Ｘ軸に沿って共に逆の方向に移るに従って上向きに各々に傾斜し、且つＹ軸に沿って互いの反対方向に各々に傾斜する様子を示す。
【００２９】
左右一対のＸ軸逆方向摺動面Ｓｘ２は、Ｘ軸に沿って共に逆の方向に移るに従って傾斜角θｘ２で上向きに各々に傾斜し且つＹ軸に沿って互いの反対方向に傾斜角ηｘ２で各々に傾斜してもよい。
例えば、左のＸ軸逆方向摺動面Ｓｘ２は、Ｘ軸に沿って逆の方向に移るに従って傾斜角θｘ２で上向きに傾斜し、且つＹ軸に沿って一方の方向に傾斜角ηｘ２で傾斜する。
例えば、右のＸ軸逆方向摺動面Ｓｘ２は、Ｘ軸に沿って逆の方向に移るに従って傾斜角θｘ２で上向きに各々に傾斜し、且つＹ軸に沿って他方の反対方向に傾斜角ηｘ２で傾斜する。
図１１、１２は、左右一対の中間Ｘ軸逆方向摺動部材３１２ａを例示して、Ｘ軸に沿って共に逆の方向に移るに従って傾斜角θｘ２で上向きに各々に傾斜し且つＹ軸に沿って互いの反対方向に傾斜角ηｘ２で各々に傾斜する様子を示す。
【００３０】
視線をＹ軸に沿って見て、左右一対のＸ軸一方向摺動面Ｓｘ１と左右一対のＸ軸逆方向摺動面Ｓｘ２とが交差してもよい。
【００３１】
傾斜角θｘ１、傾斜角θｘ２は、Ｘ軸摺動面の摩擦角より小さくてもよい。
傾斜角θｘ１と傾斜角θｘ２とは、等しくてもよい。
【００３２】
傾斜角ηｘ１、傾斜角ηｘ２は、Ｘ軸摺動面の摩擦角より大きくてもよい。
傾斜角ηｘ１と傾斜角ηｘ２とは、等しくてもよい。
【００３３】
中間案内部材３００は下向きの面であるＹ軸摺動面Ｓｙを形成される。
下部案内部材２００は、上向きの面であるＹ軸摺動面Ｓｙを形成される。
中間案内部材３００に形成されるＹ軸摺動面Ｓｙと下部案内部材２００に形成されるＹ軸摺動面Ｓｙとは摺動してＹ軸に沿って相対移動できる。
例えば、中間案内部材３００に形成されるＹ軸摺動面Ｓｙと下部案内部材２００に形成されるＹ軸摺動面Ｓｙとは互いにＹ軸に沿って摺動できる。
Ｙ軸摺動面Ｓｙは、Ｘ軸に沿って並列して位置する左右一対のＹ軸一方向摺動面Ｓｙ１とＸ軸に沿って並列して位置する左右一対のＹ軸逆方向摺動面Ｓｙ２とを含む。
例えば、中間案内部材３００は、左右一対の下向きのＹ軸一方向摺動面Ｓｙ１と左右一対の下向きのＹ軸逆方向摺動面Ｓｙ２とを形成される。
左右一対の下向きのＹ軸一方向摺動面Ｓｙ１は、Ｘ軸に沿って並列して、中間案内部材３００の下部に位置する。
左右一対の下向きのＹ軸逆方向摺動面Ｓｙ２は、Ｘ軸に沿って並列して、中間案内部材３００の下部に位置する。
例えば、下部案内部材２００は左右一対の上向きのＹ軸一方向摺動面Ｓｙ１と左右一対の上向きのＹ軸逆方向摺動面Ｓｙ２とを形成される。
左右一対の上向きのＹ軸一方向摺動面Ｓｙ１は、Ｘ軸に沿って並列して、下部案内部材２００の上部に位置する。
左右一対の上向きのＹ軸逆方向摺動面Ｓｙ２は、Ｘ軸に沿って並列して、下部案内部材２００の上部に位置する。
【００３４】
左右一対のＹ軸一方向摺動面Ｓｙ１は、Ｙ軸に沿って共に一方の方向に移るに従って上向きに各々に傾斜し且つＸ軸に沿って互いの反対方向に各々に傾斜する。
左右一対のＹ軸一方向摺動面Ｓｙ１は、Ｙ軸に沿って延びる長尺の面であっても良い。
例えば、左のＹ軸一方向摺動面Ｓｙ１は、Ｙ軸に沿って一方の方向に移るに従って上向きに傾斜し、且つＸ軸に沿って一方の方向に傾斜する。
例えば、右のＹ軸一方向摺動面Ｓｙ１は、Ｙ軸に沿って一方の方向に移るに従って上向きに傾斜し、且つＸ軸に沿って反対の方向に傾斜する。
【００３５】
左右一対のＹ軸一方向摺動面Ｓｙ１は、Ｙ軸に沿って共に一方の方向に移るに従って傾斜角θｙ１で上向きに各々に傾斜し且つＸ軸に沿って互いの反対方向に傾斜角ηｙ１で各々に傾斜してもよい。
左右一対のＹ軸一方向摺動面Ｓｙ１は、Ｙ軸に沿って延びる長尺の面であっても良い。
例えば、左のＹ軸一方向摺動面Ｓｙ１は、Ｙ軸に沿って一方の方向に移るに従って傾斜角θｙ１で上向きに傾斜し、且つＸ軸に沿って一方の方向に傾斜する。
例えば、右のＹ軸一方向摺動面Ｓｙ１は、Ｙ軸に沿って一方の方向に移るに従って傾斜角θｙ１で上向きに傾斜し、且つＸ軸に沿って反対の方向に傾斜角ηｙ１で傾斜する。
【００３６】
左右一対のＹ軸逆方向摺動面Ｓｙ２は、Ｙ軸に沿って共に逆の方向に移るに従って上向きに各々に傾斜し且つＸ軸に沿って互いの反対方向に各々に傾斜する。  
左右一対のＹ軸逆方向摺動面Ｓｙ２は、Ｙ軸に沿って延びる長尺の面であっても良い。
例えば、左のＹ軸逆方向摺動面Ｓｙ２は、Ｙ軸に沿って逆の方向に移るに従って上向きに傾斜し、且つＸ軸に沿って一方の方向に傾斜する。
例えば、右のＹ軸逆方向摺動面Ｓｙ２は、Ｙ軸に沿って逆の方向に移るに従って上向きに傾斜し、且つＸ軸に沿って反対の方向に各々に傾斜する。  
【００３７】
左右一対のＹ軸逆方向摺動面Ｓｙ２は、Ｙ軸に沿って共に逆の方向に移るに従って傾斜角θｙ２で上向きに各々に傾斜し且つＸ軸に沿って互いの反対方向に各々に傾斜してもよい。
例えば、左のＹ軸逆方向摺動面Ｓｙ２は、Ｙ軸に沿って逆の方向に移るに従って傾斜角θｙ２で上向きに傾斜し、且つＸ軸に沿って一方の方向に傾斜角ηｙ２で傾斜する。
例えば、右のＹ軸逆方向摺動面Ｓｙ２は、Ｙ軸に沿って逆の方向に移るに従って傾斜角θｙ２で上向きに傾斜し、且つＸ軸に沿って反対の方向に傾斜角ηｙ２で各々に傾斜する。  
【００３８】
視線をＸ軸に沿って見て、左右一対のＹ軸一方向摺動面と左右一対のＹ軸逆方向摺動面とが交差してもよい。
【００３９】
傾斜角θｙ１、傾斜角θｙ２は、Ｙ軸摺動面の摩擦角より小さくてもよい。
傾斜角θｙ１と傾斜角θｙ２とは、等しくてもよい。
【００４０】
傾斜角ηｙ１、傾斜角ηｙ２は、Ｙ軸摺動面の摩擦角より大きくてもよい。
傾斜角ηｙ１と傾斜角ηｙ２とは、等しくてもよい。
【００４１】
傾斜角θｘ１、傾斜角θｘ２は傾斜角ηｙ１、傾斜角ηｙ２より小さくてもよい。
傾斜角θｙ１、傾斜角θｙ２は傾斜角ηｘ１、傾斜角ηｘ２より小さくてもよい。
【００４２】
以下に上部案内部材１００、下部案内部材２００、中間案内部材３００の構造を説明する。
【００４３】
上部案内部材１００は、左右一対の上部Ｘ軸一方向摺動部材１１１ａ、１１１ｂと、左右一対の上部Ｘ軸逆方向摺動部材１１２ａ、１１２ｂとで構成される。
上部案内部材１００は、左右一対の上部Ｘ軸一方向摺動部材１１１ａ、１１１ｂと、左右一対の上部Ｘ軸逆方向摺動部材１１２ａ、１１２ｂと上部案内基礎部材１３０とで構成されてもよい。
図３は、上部案内部材１００が２組の上部Ｘ軸摺動部材１１０と上部案内基礎部材１３０とで構成され、２組の上部Ｘ軸摺動部材１１０が左右一対の上部Ｘ軸一方向摺動部材１１１ａ、１１１ｂと、左右一対の上部Ｘ軸逆方向摺動部材１１２ａ、１１２ｂとで各々に構成される様子を示す。
ここで、２組の上部Ｘ軸摺動部材１１０がＸ軸に沿って直列に配置される。
【００４４】
左右一対の上部Ｘ軸一方向摺動部材１１１ａ、１１１ｂは、左右一対の下向きのＸ軸一方向摺動面Ｓｘ１を各々に形成する。
例えば、左の上部Ｘ軸一方向摺動部材１１１ａは、左の下向きのＸ軸一方向摺動面Ｓｘ１を形成する。
例えば、右の上部Ｘ軸一方向摺動部材１１１ｂは、右の下向きのＸ軸一方向摺動面Ｓｘ１を形成する。
【００４５】
左右一対の上部Ｘ軸逆方向摺動部材１１２ａ、１１２ｂは、左右一対の下向きのＸ軸逆方向摺動面Ｓｘ２を各々に形成する。
例えば、左の上部Ｘ軸逆方向摺動部材１１２ａは、左の下向きのＸ軸逆方向摺動面Ｓｘ２を形成する。
例えば、右の上部Ｘ軸逆方向摺動部材１１２ｂは、左の下向きのＸ軸逆方向摺動面Ｓｘ２を形成する。
【００４６】
上部案内基礎部材１３０は、上部Ｘ軸摺動部材１１０を支持する構造部材である。
例えば、上部Ｘ軸摺動部材１１０は、上部案内基礎部材１３０の下部に固定される。
【００４７】
下部案内部材２００は、左右一対の下部Ｙ軸一方向摺動部材２１１ａ、２１１ｂと左右一対の下部Ｙ軸逆方向摺動部材２１２ａ、２１２ｂとで構成されてもよい。
下部案内部材２００は、左右一対の下部Ｙ軸一方向摺動部材２１１ａ、２１１ｂと左右一対の下部Ｙ軸逆方向摺動部材212ａ、２１２ｂと下部案内基礎部材２３０で構成されてもよい。
図６は、下部案内部材２００が２組の下部Ｙ軸摺動部材２１０と下部案内基礎部材２３０で構成され、２組の下部Ｙ軸摺動部材２１０が左右一対の下部Ｙ軸一方向摺動部材２１１ａ、２１１ｂと左右一対の下部Ｙ軸逆方向摺動部材212ａ、２１２ｂとで構成される様子を示す。
ここで、２組の下部Ｙ軸摺動部材２１０がＹ軸に沿って直列に配置される。
【００４８】
左右一対の下部Ｙ軸一方向摺動部材２１１ａ、２１１ｂは、左右一対の上向きのＹ軸一方向摺動面Ｓｙ１を形成する
左右一対の下部Ｙ軸逆方向摺動部材２１２ａ、２１２ｂは、左右一対の上向きのＹ軸逆方向摺動面Ｓｙ２を各々に形成する
【００４９】
下部案内基礎部材２３０は、下部Ｙ軸摺動部材２１０を支持する構造部材である。
例えば、下部Ｙ軸摺動部材２１０は、下部案内基礎部材２３０の上部に固定される。
【００５０】
中間案内部材３００が、左右一対の中間Ｘ軸一方向摺動部材３１１ａ、３１１ｂと左右一対の中間Ｘ軸逆方向摺動部材３１２ａ、３１２ｂとで構成されてもよい。
中間案内部材３００が、左右一対の中間Ｙ軸一方向摺動部材３２１ａ、３２１ｂと左右一対の中間Ｙ軸逆方向摺動部材３２２ａ、３２２ｂとで構成されてもよい。
中間案内部材３００が、左右一対の中間Ｘ軸一方向摺動部材３１１ａ、３１１ｂと左右一対の中間Ｘ軸逆方向摺動部材３１２ａ、３１２ｂと左右一対の中間Ｙ軸一方向摺動部材３２１ａ、３２１ｂと左右一対の中間Ｙ軸逆方向摺動部材３２２ａ、３２２ｂとで構成されてもよい。
中間案内部材３００が、左右一対の中間Ｘ軸一方向摺動部材３１１ａ、３１１ｂと左右一対の中間Ｘ軸逆方向摺動部材３１２ａ、３１２ｂと左右一対の中間Ｙ軸一方向摺動部材３２１ａ、３２１ｂと左右一対の中間Ｙ軸逆方向摺動部材３２２ａ、３２２ｂと中間案内基礎部材３３０とで構成されてもよい。
図４、図５は、中間案内部材３００が、２組の中間Ｘ軸摺動部材３１０と２組の中間Ｙ軸摺動部材３２０と中間案内基礎部材３３０とで構成され、２組の中間Ｘ軸摺動部材３１０は左右一対の中間Ｘ軸一方向摺動部材３１１ａ、３１１ｂと左右一対の中間Ｘ軸逆方向摺動部材３１２ａ、３１２ｂとで各々に構成され、２組の中間Ｙ軸摺動部材３２０は左右一対の中間Ｙ軸一方向摺動部材３２１ａ、３２１ｂと左右一対の中間Ｙ軸逆方向摺動部材３２２ａ、３２２ｂとで各々に構成される様子を示す。
ここで、２組の中間Ｘ軸摺動部材３１０はＸ軸に添って直列に配置され、２組の中間Ｙ軸摺動部材３２０はＹ軸に沿って直列に配置される。
【００５１】
左右一対の中間Ｘ軸一方向摺動部材３１１ａ、３１１ｂは、左右一対の上向きのＸ軸一方向摺動面Ｓｘ１を各々に形成する。
左右一対の中間Ｘ軸逆方向摺動部材２１２ａ、２１２ｂは、左右一対の上向きのＸ軸逆方向摺動面Ｓｘ２を各々に形成する。
左右一対の中間Ｙ軸一方向摺動部材３２１ａ、３２１ｂは、左右一対の下向きのＹ軸一方向摺動面Ｓｙ１を各々に形成する。
左右一対の中間Ｙ軸逆方向摺動部材３２２ａ、３２２ｂは、左右一対の下向きのＹ軸逆方向摺動面Ｓｙ２を各々に形成する。
【００５２】
中間案内基礎部材３３０は、中間Ｘ軸摺動部材３１０を支持する構造部材である。
中間案内基礎部材３３０は、中間Ｘ軸摺動部材３１０と中間Ｙ軸摺動部材３２０を支持する構造部材であるってもよい。
【００５３】
以下に、上部Ｘ軸摺動部材１１０と中間Ｙ軸摺動部材３２０との相対的配置、下部Ｙ軸摺動部材２１０と中間Ｘ軸摺動部材３１０との相対的配置について、説明する。
【００５４】
左右一対の上部Ｘ軸一方向摺動部材１１１ａ、１１１ｂと左右一対の上部Ｘ軸逆方向摺動部材１１２ａ、１１２ｂとがＹ軸に沿って離れる様に間に隙間を設けられ、
左右一対の中間Ｘ軸一方向摺動部材３１１ａ、３１１ｂと左右一対の中間Ｘ軸逆方向摺動部材３１２ａ、３１２ｂとがＹ軸に沿って離れる様に間に隙間を設けられてもよい。
【００５５】
左右一対の中間Ｙ軸一方向摺動部材３２１ａ、３２１ｂと左右一対の中間Ｙ軸逆方向摺動部材３２２ａ、３２２ｂとがＸ軸に沿って離れる様に間に隙間を設けられ、
左右一対の下部Ｙ軸一方向摺動部材２１１ａ、２１１ｂと左右一対の下部Ｙ軸逆方向摺動部材２１２ａ、２１２ｂとがＸ軸に沿って離れる様に間に隙間を設けられてもよい。
【００５６】
以下に、本発明の実施形態にかかる構造物支持構造の作用を、図を基に、説明する。
図２は、地震が発生したときの本発明の実施形態にかかる構造物支持構造の作用を図示する。
図１３、図１４は、地震が発生したときに下向きのＸ軸摺動面と上向きのＸ軸摺動面が摺動して、Ｘ軸に沿って相対移動する様子を示す。
【００５７】
図７は、地震が発生していない状態を示す。
上部Ｘ軸一方向摺動部材１１１ａ、１１１ｂに形成される下向きのＸ軸一方向摺動面Ｓｘ１と中間Ｘ軸一方向摺動部材３１１ａ、３１１ｂに形成される上向きのＸ軸一方向摺動面Ｓｘ１とが接触し、上部Ｘ軸逆方向摺動部材１１２ａ、１１１ｂに形成されるＸ軸逆方向摺動面Ｓｘ２と中間Ｘ軸逆方向摺動部材３１２ａ、３１２ｂに形成される上向きのＸ軸逆方向摺動面Ｓｘ２とが接触している。
説明の便宜上、このときの上部案内部材１００が中間案内部材３００に対する位置を中立位置と呼称する。
地震が発生すると、水平加速度が構造物に生じて、構造物が基礎に対して相対的に水平移動する。
上部案内部材１００が中間案内部材３００に対して中立位置からＸ軸の正方向（一方向に相当する）に相対移動すると、上部Ｘ軸逆方向摺動部材１１２ａ、１１１ｂに形成されるＸ軸逆方向摺動面Ｓｘ２と中間Ｘ軸逆方向摺動部材３１２ａ、３１２ｂに形成される上向きのＸ軸逆方向摺動面Ｓｘ２との間に隙間が生じ、上部Ｘ軸一方向摺動部材１１１ａに形成される下向きのＸ軸一方向摺動面Ｓｘ１と中間Ｘ軸一方向摺動部材３１１ａに形成される上向きのＸ軸一方向摺動面Ｓｘ１とが摺動してＸ軸に沿って相対移動する。
上部Ｘ軸一方向摺動部材１１１ａに形成される下向きのＸ軸一方向摺動面Ｓｘ１と中間Ｘ軸一方向摺動部材３１１ａに形成される上向きのＸ軸一方向摺動面Ｓｘ１とが摺動してＸ軸に沿って相対移動すると、重力により上部案内部材１００が中間案内部材３００に対して中立位置に戻ろうとする復元力が生ずる。
上部案内部材１００が中間案内部材３００に対して中立位置からＸ軸の負方向（逆方向に相当する）に相対移動すると、上部Ｘ軸一方向摺動部材１１１ａに形成される下向きのＸ軸一方向摺動面Ｓｘ１と中間Ｘ軸一方向摺動部材３１１ａに形成される上向きのＸ軸一方向摺動面Ｓｘ１との間に隙間が生じて、上部Ｘ軸逆方向摺動部材１１２ａ、１１１ｂに形成されるＸ軸逆方向摺動面Ｓｘ２と中間Ｘ軸逆方向摺動部材３１２ａ、３１２ｂに形成される上向きのＸ軸逆方向摺動面Ｓｘ２とが摺動してＸ軸に沿って相対移動する。
上部Ｘ軸逆方向摺動部材１１２ａ、１１１ｂに形成されるＸ軸逆方向摺動面Ｓｘ２と中間Ｘ軸逆方向摺動部材３１２ａ、３１２ｂに形成される上向きのＸ軸逆方向摺動面Ｓｘ２とが摺動してＸ軸に沿って相対移動すると、重力により上部案内部材１００が中間案内部材３００に対して中立位置に戻ろうとする復元力が生ずる。
このときに、左右一対のＸ軸一方向摺動面Ｓｘ１と左右一対のＸ軸逆方向摺動面Ｓｘ２とは、Ｙ軸に沿って互いの反対方向に各々に傾斜しているので、上部案内部材１００は中間案内部材３００に対して中立位置からＹ軸の沿った方向に相対移動しない。
【００５８】
上述のとおり、本発明の実施実施形態に係る構造体支持構造を用いれば、以下の効果を有する。
Ｘ軸に沿って共に一方の方向に移るに従って上向きに各々に傾斜し且つＹ軸に沿って互いの反対方向に各々に傾斜する左右一対のＸ軸一方向摺動面Ｓｘ１とＸ軸に沿って共に逆の方向に移るに従って上向きに各々に傾斜し且つＹ軸に沿って互いの反対方向に各々に傾斜する左右一対のＸ軸逆方向摺動面Ｓｘ２との一方を、Ｘ軸に沿って摺動できる上下一対のＸ軸摺動面Ｓｘを上部案内部材２００と中間案内部材３００とに各々に形成する様にしたので、構造体３０が、Ｙ軸に沿った移動を抑制されつつＸ軸に沿って摺動する上部案内部材１００と中間案内部材３００を介して支持されて、Ｘ軸に沿って安定して移動する。
また、Ｘ軸摺動面ＳｘのＸ軸に沿った傾斜角θｘ１、傾斜角θｘ２は、Ｘ軸摺動面Ｓｘの摩擦角より小さく、Ｘ軸摺動面ＳｘのＹ軸に沿った傾斜角ηｘ１、傾斜角ηｘ２は、Ｘ軸摺動面Ｓｘの摩擦角より大きい様にしたので、構造体が、Ｙ軸に沿った移動を抑制されつつ上部案内部材１００と中間案内部材３００とが摺動して、Ｘ軸に沿って移動する。
また、左右一対の下向きのＸ軸一方向摺動面Ｓｘ１を形成する左右一対の上部Ｘ軸一方向摺動部材１１１ａ、１１１ｂと左右一対の下向きのＸ軸逆方向摺動面Ｓｘ２を各々に形成する左右一対の上部Ｘ軸逆方向摺動部材１１２ａ、１１２ｂとがＹ軸に沿って離れる様に間に隙間を設けられ、左右一対の上向きのＸ軸一方向摺動面Ｓｘ１を形成する左右一対の中間Ｘ軸一方向摺動部材３１１ａ、３１１ｂと左右一対の上向きのＸ軸逆方向摺動面Ｓｘ２を各々に形成する左右一対の中間Ｘ軸逆方向摺動部材３１２ａ、３１２ｂとがＹ軸に沿って離れる様に間に隙間を設けられる様にしたので、左右一対の上部Ｘ軸一方向摺動部材１１１ａと左右一対の中間Ｘ軸逆方向摺動部材３１１ｂとの物理的緩衝を抑制し、左右一対の上部Ｘ軸逆方向摺動部材１１１ｂと左右一対の中間Ｘ軸一方向摺動部材３１１ａとの物理的緩衝を抑制できる。
Ｘ軸に沿って共に一方の方向に移るに従って上向きに各々に傾斜し且つＹ軸に沿って互いの反対方向に各々に傾斜する左右一対のＸ軸一方向摺動面Ｓｘ１とＸ軸に沿って共に逆の方向に移るに従って上向きに各々に傾斜し且つＹ軸に沿って互いの反対方向に各々に傾斜する左右一対のＸ軸逆方向摺動面Ｓｘ２との一方を、Ｘ軸に沿って摺動できる上下一対のＸ軸摺動面Ｓｘを上部案内部材１００と中間案内部材３００とに各々に形成し、さらに、Ｙ軸に沿って共に一方の方向に移るに従って上向きに各々に傾斜し且つＸ軸に沿って互いの反対方向に各々に傾斜する左右一対のＹ軸一方向摺動面Ｓｙ１と、Ｙ軸に沿って共に逆の方向に移るに従って上向きに各々に傾斜し且つＸ軸に沿って互いの反対方向に各々に傾斜する左右一対のＹ軸逆方向摺動面Ｓｙ２との一方を、Ｙ軸に沿って摺動できる上下一対のＹ軸摺動面を下部案内部材２００と中間案内部材３００とに各々に形成する様にしたので、構造体３０が、Ｙ軸に沿った移動を抑制されつつＸ軸に沿って摺動する上部案内部材１００と中間案内部材３００を介して支持されて、Ｘ軸に沿った移動を抑制されつつＹ軸に沿って摺動する下部案内部材２００と中間案内部材３００を介して支持されて、Ｘ軸とＹ軸とに沿って安定して移動する。
また、傾斜角θｘ１、傾斜角θｘ２は傾斜角ηｙ１、傾斜角ηｙ２より小さく、傾斜角θｙ１、傾斜角θｙ２は傾斜角ηｘ１、傾斜角ηｘ２より小さい様にしたので、構造体が、Ｙ軸に沿った移動を抑制されつつ上部案内部材１００と中間案内部材３００とが摺動してＸ軸に沿って移動し、Ｘ軸に沿った移動を抑制されつつ中間案内部材３００と下部案内部材２００とが摺動してＹ軸に沿って移動する。
また、左右一対の下向きのＸ軸一方向摺動面Ｓｘ１を形成する左右一対の上部Ｘ軸一方向摺動部材１１１ａ、１１１ｂと左右一対の下向きのＸ軸逆方向摺動面Ｓｘ２を各々に形成する左右一対の上部Ｘ軸逆方向摺動部材１１２ａ、１１２ｂとがＹ軸に沿って離れる様に間に隙間を設けられ、左右一対の上向きのＸ軸一方向摺動面Ｓｘ１を形成する左右一対の中間Ｘ軸一方向摺動部材３１１ａ、３１１ｂと左右一対の上向きのＸ軸逆方向摺動面Ｓｘ２を各々に形成する左右一対の中間Ｘ軸逆方向摺動部材３１２ａ、３１２ｂとがＹ軸に沿って離れる様に間に隙間を設けられる様にし、さらに左右一対の下向きのＹ軸一方向摺動面Ｓｙ１を形成する左右一対の中間Ｙ軸一方向摺動部材３２１ａ、３２１ｂと左右一対の下向きのＹ軸逆方向摺動面Ｓｙ２を各々に形成する左右一対の中間Ｙ軸逆方向摺動部材３２２ａ、３２２ｂとがＸ軸に沿って離れる様に間に隙間を設けられ、左右一対の上向きのＹ軸一方向摺動面Ｓｙ１を形成する左右一対の下部Ｙ軸一方向摺動部材２１１江0、２１１ｂと左右一対の上向きのＹ軸逆方向摺動面Ｓｙ２を各々に形成する左右一対の下部Ｙ軸逆方向摺動部材２１２ａ、２１２ｂとがＸ軸に沿って離れる様に間に隙間を設けられる様にしたので、左右一対の上部Ｘ軸一方向摺動部材１１１ａ、１１１ｂと左右一対の中間Ｘ軸逆方向摺動部材３１２ａ、３１２ｂとの物理的緩衝を抑制し、左右一対の上部Ｘ軸逆方向摺動部材１１２ａ、１１２ｂと左右一対の中間Ｘ軸一方向摺動部材３１１ａ、３１１ｂとの物理的緩衝を抑制でき、さらに、左右一対の中間Ｙ軸一方向摺動部材３２１ａ、３２１ｂと左右一対の下部Ｙ軸逆方向摺動部材２１２ａ、２１ｂとの物理的緩衝を抑制し、左右一対の中間Ｙ軸逆方向摺動部材３１２ａ、３１２ｂと左右一対の下部Ｙ軸一方向摺動部材２１１ａ、２１１ｂとの物理的緩衝を抑制できる。
Ｙ軸に沿って互いの反対方向に各々に傾斜する左右一対のＸ軸一方向摺動面Ｓｘ１を、
Ｘ軸に沿って摺動できる上下一対のＸ軸摺動面Ｓｘを上部案内部材１００と中間案内部材３００とに各々に形成する様にしたので、構造体３０が、Ｙ軸に沿った移動を抑制されつつＸ軸に沿って摺動する上部案内部材１００と中間案内部材３００とを介して支持されて、Ｘ軸に沿って安定して相対移動する。
また、  傾斜角ηｘ１は、Ｘ軸摺動面Ｓｘの上部摩擦角より大きい様にしたので、構造体が、Ｙ軸に沿った移動を抑制されつつ上部案内部材１００と中間案内部材３００とが摺動してＸ軸に沿って相対移動する。
【００５９】
本発明は以上に述べた実施形態に限られるものではなく、発明の要旨を逸脱しない範囲で各種の変更が可能である。
発明の実施形態を一例の構造を例に説明したが、これに限定されない。例えば、１５、１６に示す構造であったもよい。例えば、上部案内部材１００が１組の上部Ｘ軸摺動部材１１０と上部案内基礎部材１３０とで構成されてもよい。例えば、下部案内部材２００が１組の下部Ｙ軸摺動部材２１０と下部案内基礎部材２３０で構成されてもよい。例えば、
構造体支持構造５０は、上部案内部材１００と中間案内部材３００とで構成され、中間案内部材３００が基礎に固定されてもよい。
発明の実施形態を一例の構造では、左右一対の・・・一方向摺動部材または左右一対の・・・逆方向摺動部材とを別別体の部材であるとして説明したが、これに限定されない。例えば、左右一対の・・・一方向摺動部材が摺動面を隣接して一体構造をした部材、左右一対の・・・逆方向摺動部材が摺動面を隣接して一体構造をした部材であってもよい。
【符号の説明】
【００６０】
Ｓｘ    下向きのＸ軸摺動面、上向きのＸ軸摺動面
Ｓｘ１  左右一対のＸ軸一方向摺動面
Ｓｘ２  左右一対のＸ軸逆方向摺動面
Ｓｙ    下向きのＹ軸摺動面、上向きのＹ軸摺動面
Ｓｙ１  左右一対のＹ軸一方向摺動面
Ｓｙ２  左右一対のＹ軸逆方向摺動面
θｘ１  傾斜角（Ｘ軸一方向摺動面のＸ軸方向）
θｘ２  傾斜角（Ｘ軸逆方向摺動面のＸ軸方向）
ηｘ１  傾斜角（Ｘ軸一方向摺動面のＹ軸方向）
ηｘ２  傾斜角（Ｘ軸逆方向摺動面のＹ軸方向）
θｙ１  傾斜角（Ｙ軸一方向摺動面のＹ軸方向）
θｙ２  傾斜角（Ｙ軸逆方向摺動面のＹ軸方向）
ηｙ１  傾斜角（Ｙ軸一方向摺動面のＸ軸方向）
ηｙ２  傾斜角（Ｙ軸逆方向摺動面のＸ軸方向）
３０  構造体
４０  基礎
５０  構造体支持構造
１００  上部案内部材
１１０  上部Ｘ軸摺動部材
１１１ａ、１１１ｂ  左右一対の上部Ｘ軸一方向摺動部材
１１２ａ、１１２ｂ  左右一対の上部Ｘ軸逆方向摺動部材
１３０  上部案内基礎部材
２００  下部案内部材
２１０  下部Ｙ軸摺動部材
２１１ａ、２１１ｂ  左右一対の下部Ｙ軸一方向摺動部材
２１２ａ、２１２ｂ  左右一対の下部Ｙ軸逆方向摺動部材
２３０  下部案内基礎部材
３００  中間案内部材
３１０  中間Ｘ軸摺動部材
３１１ａ、３１１ｂ  左右一対の中間Ｘ軸一方向摺動部材
３１２ａ、３１２ｂ  左右一対の中間Ｘ軸逆方向摺動部材
３２０  中間Ｙ軸摺動部材
３２１ａ、３２１ｂ  左右一対の中間Ｙ軸一方向摺動部材
３２２ａ、３２２ｂ  左右一対の中間Ｙ軸逆方向摺動部材
３３０  中間案内基礎部材
【先行技術文献】
【特許文献】
【００６１】
【特許文献１】特開２０１３−１３０２１６
【特許文献２】特開２０１４−１１９０３３
【特許文献３】特開２０１６−０１４４１１
【図１】
2018012942.tif 000003
【図２】
2018012942.tif 000004
【図３】
2018012942.tif 000005
【図４】
2018012942.tif 000006
【図５】
2018012942.tif 000007
【図６】
2018012942.tif 000008
【図７】
2018012942.tif 000009
【図８】
2018012942.tif 000010
【図９】
2018012942.tif 000011
【図１０】
2018012942.tif 000012
【図１１】
2018012942.tif 000013
【図１２】
2018012942.tif 000014
【図１３】
2018012942.tif 000015
【図１４】
2018012942.tif 000016
【図１５】
2018012942.tif 000017
【図１６】
2018012942.tif 000018
【図１７】
2018012942.tif 000019